(57)【要約】【課題】ＩＣチップ及びＩＣチップリーダ／ライタを利用して、情報の作成を容易にし、また、信頼性の高い情報を提供、管理する情報管理システムを提供すること。【解決手段】ユーザが街頭や観光地等に設置されたＩＣチップＲ／Ｗ１０５にＩＣチップ１０３をかざすと、ＩＣチップＲ／Ｗ１０５はＩＣチップの識別情報等を読み出し、サーバコンピュータ１０１はその情報をＩＣチップＲ／Ｗから受信する。サーバコンピュータ１０１は、受信したＩＣチップ１０３の情報を基に、ユーザデータベース１２１のユーザ情報からユーザを特定し、ＩＣチップＲ／Ｗ１０５の設置場所を検索し、コンテンツ情報からそのＩＣチップＲ／Ｗ１０５の設置場所周辺情報や関連情報等を抽出してユーザの携帯端末等に送信したり、ユーザの個人用ホームページのためのコンテンツを作成してユーザに提供する。【選択図】図１
2007279789.tif 000002
【特許請求の範囲】
【請求項１】
サーバコンピュータと、
前記サーバコンピュータにネットワークを介して通信可能となるように接続され、ＩＣチップの情報を読み取るＩＣチップリーダ／ライタと、
を具備し、
前記サーバコンピュータは、
前記ＩＣチップを所有するユーザに関する情報を保持するユーザ情報保持手段と、
前記ＩＣチップリーダ／ライタに関する情報を保持するリーダ／ライタ情報保持普段と、
コンテンツを保持するコンテンツ保持手段と、
前記ＩＣチップリーダ／ライタによって読み取られたＩＣチップの情報を基に、当該ＩＣチップのユーザを特定するユーザ特定手段と、
当該ＩＣチップの情報を読み取った当該ＩＣチップリーダ／ライタに関するリーダライタ情報を、前記リーダ／ライタ情報保持手段から検索するリーダ／ライタ検索手段と、
前記リーダ／ライタ検索手段によって検索されたＩＣチップリーダ／ライタ情報を基に、当該ＩＣチップリーダ／ライタの設置場所、及び／又は、その関連情報に関するコンテンツを、前記コンテンツ保持手段から検索するコンテンツ検索手段と、
前記コンテンツ検索手段によって検索されたコンテンツ、及び／又は、前記検索されたコンテンツを基に作成されたコンテンツを、ユーザ用コンテンツとして保持するユーザコンテンツ保持手段と、
を具備することを特徴とする情報管理システム。
【請求項２】
前記サーバコンピュータは、前記ＩＣチップを有するユーザの端末に対して、前記ユーザ用コンテンツを送信する送信手段を更に具備することを特徴とする請求項１記載の情報管理システム。
【請求項３】
前記サーバコンピュータは、前記送信手段によって送信された前記ユーザ用コンテンツに対して、前記ユーザが入力した情報を受信し、保持することを特徴とする請求項２記載の情報管理システム。
【請求項４】
前記ＩＣチップは、ＩＣカード、ＩＣタグ、ＩＣチップ搭載携帯電話、ＩＣチップ搭載コンピュータに具備されることを特徴とする請求項１記載の情報管理システム。
【請求項５】
ＩＣチップの情報を読み取るＩＣチップリーダ／ライタと、ネットワークを介して通信可能となるように接続されたサーバコンピュータであって、
前記ＩＣチップを所有するユーザに関する情報を保持するユーザ情報保持手段と、
前記ＩＣチップリーダ／ライタに関する情報を保持するリーダ／ライタ情報保持普段と、
コンテンツを保持するコンテンツ保持手段と、
前記ＩＣチップリーダ／ライタによって読み取られたＩＣチップの情報を基に、当該ＩＣチップのユーザを特定するユーザ特定手段と、
当該ＩＣチップの情報を読み取った当該ＩＣチップリーダ／ライタに関するリーダライタ情報を、前記リーダ／ライタ情報保持手段から検索するリーダ／ライタ検索手段と、
前記リーダ／ライタ検索手段によって検索されたＩＣチップリーダ／ライタ情報を基に、当該ＩＣチップリーダ／ライタの設置場所、及び／又は、その関連情報に関するコンテンツを、前記コンテンツ保持手段から検索するコンテンツ検索手段と、
前記コンテンツ検索手段によって検索されたコンテンツ、及び／又は、前記検索されたコンテンツを基に作成されたコンテンツを、ユーザ用コンテンツとして保持するユーザコンテンツ保持手段と、
を具備することを特徴とするサーバコンピュータ。
【請求項６】
前記ＩＣチップを有するユーザの端末に対して、前記ユーザ用コンテンツを送信する送信手段を更に具備することを特徴とする請求項５記載のサーバコンピュータ。
【請求項７】
前記送信手段によって送信された前記ユーザ用コンテンツに対して、前記ユーザが入力した情報を受信し、保持することを特徴とする請求項６記載のサーバコンピュータ。
【請求項８】
前記ＩＣチップは、ＩＣカード、ＩＣタグ、ＩＣチップ搭載携帯電話、ＩＣチップ搭載コンピュータに具備されることを特徴とする請求項５記載のサーバコンピュータ。
【請求項９】
コンピュータを請求項５から請求項８のうちのいずれかに記載されたサーバコンピュータとして機能させるプログラム。
【請求項１０】
コンピュータを請求項５から請求項８のうちのいずれかに記載されたサーバコンピュータとして機能させるプログラムを記録した記録媒体。
【発明の詳細な説明】
【技術分野】
【０００１】
本発明は、ＩＣチップを利用して、ユーザに関する情報を管理し、ユーザに対して情報を提供する機能に関する。
【背景技術】
【０００２】
近年のコンピュータネットワーク技術の発達に伴い、コミュニティサイトやブログ（ウェブログ）など、ネットワークを介して情報を交換、提供する機会が増えてきた。そのため、コミュニティサイトの運営、或いは、ブログの作成、管理をより効率的に、かつ安全に行うことが必要となり、そのための技術開発が行われている。（例えば、特許文献１）
一方、最近では、ＩＣチップ（ＩＣ：Integrated
Circuit  集積回路）を利用したＩＣカード、ＩＣタグ、ＩＣ搭載携帯電話等が様々なビジネスで利用されており、コンピュータネットワークとＩＣチップを利用することによって、様々な情報提供が行われている。（例えば、特許文献２）
【０００３】
【特許文献１】特開２００５−３３９３８５号公報
【特許文献２】特開２００４−０３０１３４号公報
【発明の開示】
【発明が解決しようとする課題】
【０００４】
しかしながら、ブログや個人ＨＰ等を個人で管理する場合、その作成には時間がかかり、更新も煩雑な作業となる。例えば、旅行の記録をブログ等に記載したい場合、旅行から帰ってから写真やデータを入力して記事を作成することになるため、手間と時間のかかる作業となる。
また、コミュニティサイトなど、不特定多数のユーザによる情報の書き込みが可能である場合、例えば、実際に行ったことのない場所に関する情報や実際に体験していないことに関する情報の書き込みを行うなど、無責任で悪意のある書き込みも少なくなく、サイトで交換される情報の信頼性を下げ、サイト管理の安全性をも脅かされる。
【０００５】
本発明は、以上の点に鑑みてなされたものであり、ＩＣチップ及びＩＣチップリーダ／ライタを利用して、情報の作成を容易にし、また、その信頼性の高い情報を提供、管理する情報管理システムを提供することを目的とする。
【課題を解決するための手段】
【０００６】
前述した目的を達成するために第１の発明は、サーバコンピュータと、前記サーバコンピュータにネットワークを介して通信可能となるように接続され、ＩＣチップの情報を読み取るＩＣチップリーダ／ライタと、を具備し、前記ＩＣチップを所有するユーザに関する情報を保持するユーザ情報保持手段と、前記ＩＣチップリーダ／ライタに関する情報を保持するリーダ／ライタ情報保持普段と、コンテンツを保持するコンテンツ保持手段と、前記ＩＣチップリーダ／ライタによって読み取られたＩＣチップの情報を基に、当該ＩＣチップのユーザを特定するユーザ特定手段と、当該ＩＣチップの情報を読み取った当該ＩＣチップリーダ／ライタに関するリーダライタ情報を、前記リーダ／ライタ情報保持手段から検索するリーダ／ライタ検索手段と、前記リーダ／ライタ検索手段によって検索されたＩＣチップリーダ／ライタ情報を基に、当該ＩＣチップリーダ／ライタの設置場所、及び／又は、その関連情報に関するコンテンツを、前記コンテンツ保持手段から検索するコンテンツ検索手段と、前記コンテンツ検索手段によって検索されたコンテンツ、及び／又は、前記検索されたコンテンツを基に作成されたコンテンツを、ユーザ用コンテンツとして保持するユーザコンテンツ保持手段と、を具備することを特徴とする情報管理システムである。
【０００７】
ここで、ＩＣチップとは、ＩＣカード、ＩＣタグ、ＩＣチップ搭載携帯電話、ＩＣチップ搭載コンピュータ等に設けられるものである。
第１の発明において、サーバコンピュータは、上記のＩＣチップの所有者、即ち、ユーザに関するユーザ情報を保持、管理し、ユーザ情報を基にＩＣチップのＩＤ情報等のＩＣチップに登録された情報を読み取ることによってユーザを特定することができる。
また、サーバコンピュータは、様々な場所に設置された複数のＩＣチップリーダ／ライタ（以下、ＩＣチップＲ／Ｗとする）とネットワークを介して接続されており、それらのＩＣチップＲ／Ｗを識別し、管理するためのＩＣチップＲ／Ｗ情報を保持、管理する。
また、サーバコンピュータは、様々な情報提供コミュニティや企業の情報などのコンテンツを保持、管理する。
【０００８】
ユーザが街頭や観光地等に設置されたＩＣチップＲ／ＷにＩＣチップをかざすと、ＩＣチップＲ／ＷはＩＣチップの識別情報等を読み出して、サーバコンピュータはその情報をＩＣチップＲ／Ｗから受信する。サーバコンピュータは、受信したＩＣチップの情報を基に、ユーザ情報からユーザを特定し、ＩＣチップＲ／Ｗの設置場所を検索し、コンテンツ情報からそのＩＣチップＲ／Ｗの設置場所周辺情報や関連情報等を抽出してユーザの携帯端末等に送信したり、ユーザの個人用ホームページのためのコンテンツを作成してユーザに提供する。
【０００９】
ここで、送信されたコンテンツを基に、ユーザは関連コミュニティサイトに参加して情報等を書き込むことができる。
こうすることによって、コミュニティサイト或いはユーザは、ＩＣチップＲ／Ｗの設置場所やその周辺に実際に行ったユーザによって確かな情報を得ることができる。
【００１０】
第２の発明は、ＩＣチップの情報を読み取るＩＣチップリーダ／ライタと、ネットワークを介して通信可能となるように接続されたサーバコンピュータであって、前記ＩＣチップを所有するユーザに関する情報を保持するユーザ情報保持手段と、前記ＩＣチップリーダ／ライタに関する情報を保持するリーダ／ライタ情報保持普段と、コンテンツを保持するコンテンツ保持手段と、前記ＩＣチップリーダ／ライタによって読み取られたＩＣチップの情報を基に、当該ＩＣチップのユーザを特定するユーザ特定手段と、当該ＩＣチップの情報を読み取った当該ＩＣチップリーダ／ライタに関するリーダライタ情報を、前記リーダ／ライタ情報保持手段から検索するリーダ／ライタ検索手段と、前記リーダ／ライタ検索手段によって検索されたＩＣチップリーダ／ライタ情報を基に、当該ＩＣチップリーダ／ライタの設置場所、及び／又は、その関連情報に関するコンテンツを、前記コンテンツ保持手段から検索するコンテンツ検索手段と、前記コンテンツ検索手段によって検索されたコンテンツ、及び／又は、前記検索されたコンテンツを基に作成されたコンテンツを、ユーザ用コンテンツとして保持するユーザコンテンツ保持手段と、を具備することを特徴とするサーバコンピュータである。
第２の発明におけるＩＣチップ、サーバコンピュータ等の特徴、機能は第１の発明と同様である。
【００１１】
第３の発明は、コンピュータを第２の発明のサーバコンピュータとして機能させるプログラムである。
第４の発明は、コンピュータを第２の発明のサーバコンピュータとして機能させるプログラムを記録した記録媒体である。
【００１２】
上述のプログラムをＣＤ−ＲＯＭ等の記録媒体に保持させて流通させてもよいし、このプログラムを通信回線を介して送受することもできる。
【発明の効果】
【００１３】
本発明によれば、ＩＣチップ及びＩＣチップリーダ／ライタを利用して、コンテンツ等の情報の作成を容易にし、また、信頼性の高い情報を提供、管理することが可能である。
【発明を実施するための最良の形態】
【００１４】
以下に、添付図面を参照しながら、本発明に係る情報管理システム等の好適な実施形態について詳細に説明する。なお、以下の説明および添付図面において、略同一の機能構成を有する構成要素については、同一の符号を付することにより重複説明を省略することにする。
【００１５】
図１は、本発明の本実施の形態に係る情報管理システム１の概略構成を示す図である。
図１は、情報管理システム１の１例であり、図１に示すように、情報管理システム１は、サーバ１０１、ネットワーク１０９を介してサーバ１０１に接続されたＩＣチップリーダ／ライタ（Ｒ／Ｗ）１０５、端末１３１等から構成される。
【００１６】
ネットワーク１０９は、インターネット、ローカルエリアネットワーク（ＬＡＮ）等のネットワークであり、有線、無線を問わない。
ＩＣチップＲ／Ｗ１０５は、観光地、駅、店頭など様々な場所に設置され、ＩＣカード(ＩＣタグ)１０４に設けられたＩＣチップ１０３−１、或いは、携帯電話１０７に搭載されたＩＣチップ１０３−２等のＩＣチップ１０３に登録されているＩＣチップ情報を読み出す。
【００１７】
サーバ１０１は、サーバコンピュータ等であり、ネットワークサーバ１１０、ユーザ管理サーバ１１１、Ｒ／Ｗ管理サーバ１１２、コンテンツ管理サーバ１１３等を有する。
【００１８】
ユーザ管理サーバ１１１は、後述するユーザ情報を保持するユーザデータベース１２１を操作、管理する。ここで、ユーザとは、ＩＣカード１０４を所有するユーザ１０６、携帯電話１０７を所有するユーザ１０８等である。
Ｒ／Ｗ管理サーバ１１２は、ＩＣチップＲ／Ｗ１０５に関する情報を保持するＲ／Ｗデータベース１２２を操作、管理する。
コンテンツ管理サーバ１１３は、コンテンツを保持するコンテンツデータベース１２３を操作、管理する。
【００１９】
ネットワークサーバ１１０は、ネットワーク１０９を介して、各地に設置された複数のＩＣチップＲ／Ｗ１０５、或いは端末１３１、或いは携帯電話１０７等とサーバ１０１間のデータの送受信を行う。
【００２０】
ＩＣチップＲ／Ｗ１０５からＩＣチップ情報を受信すると、ネットワークサーバ１１０は、ユーザ管理サーバ１１１やＲ／Ｗ管理サーバ１１２を呼び出し、ＩＣチップ情報を基にユーザデータベース１２１、Ｒ／Ｗデータベース１２２からデータを検索するとともに、コンテンツ管理サーバ１１３を呼び出してコンテンツデータベース１２３を操作する。
【００２１】
次に、サーバ１０１のハードウェア構成を説明する。図２は、サーバ１０１のハードウェア構成図である。
サーバ１０１は、制御部２０１、記憶部２０２、メディア入出力部２０３、通信制御部２０４、入力部２０５、印刷部２０６、表示部２０７等が、システムバス２０９を介して接続されて構成される。
【００２２】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２３】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００２４】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３１１や、サーバ１０１が行う後述の処理に相当するアプリケーションプログラム３１２等が格納されている。
これらの各プログラムコードは、制御部２０１により必要に応じて読み出されてＲＡＭに移され、ＣＰＵに読み出されて各種の手段として実行される。
【００２５】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００２６】
通信制御部２０４は、通信制御装置、通信ポート等を有し、サーバ１０１とネットワーク１０９間の通信、及び、サーバ１０１とＩＣチップＲ／Ｗ１０５、端末１３１間等の通信を媒介する通信インタフェースであり、通信制御を行う。
【００２７】
入力部２０５は、データの入力を行い、例えば、キーボード、マウス等のポインティングデバイス、テンキー等の入力装置を有する。
入力部２０５を介して、サーバ１０１に対して、操作指示、動作指示、データ入力等を行うことができる。
【００２８】
印刷部２０６は、プリンタであり、印刷出力処理を行う。
表示部２０７は、ＣＲＴモニタ、液晶パネル等のディスプレイ装置、ディスプレイ装置と連携してコンピュータのビデオ機能を実現するための論理回路等（ビデオアダプタ等）を有する。
システムバス２０９は、各装置間の制御信号、データ信号等の授受を媒介する経路である。
【００２９】
次に、サーバ１０１の記憶部２０２が保持する情報について説明する。図３は、記憶部２０２が保持する情報を示す図である。
記憶部２０２内には、ユーザ情報３２１を保持するユーザデータベース１２１、ＩＣチップＲ／Ｗ情報３２２を保持するＲ／Ｗデータベース１２２、コンテンツ３２３を保持するコンテンツデータベース１２３、制御プログラム３１１、アプリケーションプログラム３１２等が格納される。
【００３０】
ここで、制御プログラム３１１は、サーバ１０１の各構成部分を駆動制御するプログラムであり、ＯＳ（オペレーティングシステム）に相当する。
アプリケーションプログラム３１２は、図４等に示すサーバ１０１が行う処理に相当する実行可能プログラムであり、ネットワークサーバ１１０、ユーザ管理サーバ１１１、Ｒ／Ｗ管理サーバ１１２、コンテンツ管理サーバ１１３等に該当するプログラムである。
【００３１】
ユーザ情報３２１は、ＩＣカード１０４のユーザ１０６やＩＣチップ搭載携帯電話１０７のユーザ１０８等の各ＩＣチップ１０３の所有者に関する情報であり、各々のＩＣチップ１０３の識別情報（識別番号等）とともに、当該ＩＣチップのユーザの住所、氏名、年齢、性別、メールアドレス、登録会員情報等のユーザに関する情報がユーザ情報３２１として保持される。
【００３２】
Ｒ／Ｗ情報３２２は、各地に設置された複数のＩＣチップＲ／Ｗ１０５の識別番号（ＩＤ番号）、設置場所等といったＩＣチップＲ／Ｗに関する情報である。
【００３３】
コンテンツ３２３は、ネットワーク１０９を介して、携帯電話１０７、或いは、端末１３１等に提供される情報である。
コンテンツ３２３には、例えば、ＩＣチップＲ／Ｗ１０５の設置場所やその周辺に関連する情報や広告などがある。
また、例えば、ＩＣチップ１０３−１のユーザ１０６や携帯電話１０７のユーザ１０８がそれぞれＩＣチップを読み取らせた場所等に関する記録を、ユーザごとのコンテンツ３２３として保持し、後に、ユーザに提供することもできる。
【００３４】
次に、本情報管理システム１による情報提供及び情報管理の処理について説明する。図４は、サーバ１０１による情報提供及び情報管理処理の流れの概要を示すフローチャートである。
【００３５】
サーバ１０１の制御部２０１は、ネットワーク１０９を介して、ＩＣチップＲ／Ｗ１０５から、Ｒ／ＷＩＤとＩＣチップＩＤ（識別情報）とを取得する（ステップ５０１）。
【００３６】
サーバ１０１の制御部２０１は、ＩＣチップＩＤよりユーザデータベース１２１のユーザ情報３２１より当該ＩＣチップを所有するユーザを特定し、ＩＣチップＲ／ＷＩＤよりＲ／Ｗデータベース１２２から該当するＩＣチップＲ／ＷのＲ／Ｗ情報を取得する（ステップ５０２）。
【００３７】
次に、制御部２０１は、Ｒ／Ｗ情報３２２を基に、Ｒ／Ｗ設置場所及びその周辺などの関連情報に関するコンテンツをコンテンツデータベース１２３のコンテンツ３２３から取得し、ユーザ用コンテンツを作成し、（ステップ５０３）、ネットワーク１０９を介して、端末１３１或いは携帯電話１０７等にコンテンツを送信する（ステップ５０４）。
【００３８】
以下、具体的な実施例を挙げて、上述の本情報管理システム１の処理等について説明する。
（ステップ５０１、ステップ５０２）
ユーザ１０８が、ＩＣチップ１０３−２を搭載した携帯電話１０７をＩＣチップＲ／Ｗ１０５−２にかざして読み出させた場合を考える。ＩＣチップＲ／Ｗ１０５−２は、ＩＣチップ１０３−２の情報を読出して、ＩＣチップ１０３−２を特定するＩＤ番号等の識別情報等をネットワーク１０９を介してサーバ１０１に送信する。
【００３９】
サーバ１０１は、ＩＣチップ１０３−２の識別情報を基に、ユーザ情報３２１を検索し、ＩＣチップ１０３−２の所有者であるユーザ１０８を特定する。
また、Ｒ／Ｗデータベース１２２のＲ／Ｗ情報３２２から、ＩＣチップＲ／Ｗ１０５−２の情報を検索し、設置場所等の情報を取得する。
【００４０】
（ステップ５０３、ステップ５０４）
サーバ１０１は、ＩＣチップＲ／Ｗ１０５−２の設置場所等の情報から、その場所及び周辺に関する関連情報を示すコンテンツをコンテンツデータベース１２３から検索し、ユーザ１０８に送信するためのコンテンツを生成し、コンテンツを送信する。ここで、例えば、携帯電話１０７のメールアドレス等はユーザ１０８のユーザ情報３２１として予め登録されている。
【００４１】
図５は、サーバ１０１によって作成され携帯電話１０７に送信された情報の一例を示す画面２１を示す図である。例えばユーザ１０８が「岐阜駅」に設置されたＩＣチップＲ／Ｗ１０５−２にＩＣチップ１０３−２を読み込ませた場合、画面２１において、ユーザ１０６がＵＲＬ２３を選択すれば、「岐阜駅」周辺情報を得ることができる。この「岐阜駅」周辺情報もサーバ１０１によってコンテンツ１２３として保持されるものである。
このように、本システムによれば、ユーザ１０６は、携帯電話１０７に搭載されたＩＣチップ１０３−２をＩＣチップＲ／Ｗ１０５−２にかざす（非接触読出させる）ことによって、リアルタイムに情報を得ることができる。
【００４２】
また、例えば、ユーザ１０８が、高速道路の「恵那峡サービスエリア（Ｓ．Ａ．）」においてＩＣチップ１０３−２をＩＣチップＲ／Ｗ１０５−２に読み取らせたとする。図４のサーバの処理に従って、同様に、情報を示すメールが携帯電話１０７に送られる。図６は、携帯電話１０７に送信された情報の一例を示す画面３１を示す図である。
【００４３】
図６に示す画面３１には、サービスエリアに関連したクチコミサイトを紹介する情報が示される。ユーザ１０８がサービスエリアやその周辺に関する情報を書き込みたい場合はメニュー３３「コメントを書く」を選択し、情報を見たい場合はメニュー３５「コメントを見る」を選択する。
【００４４】
画面３１において、ユーザ１０８がメニュー３３を選択すると、携帯電話１０７には図７に示す画面４１が表示される。画面４１にはコメント記入欄４３が設けられ、ユーザ１０８は、コメント記入欄４３にサービスエリア周辺にあるお店等の情報を記入することができる。
【００４５】
こうして、ユーザ１０８によって記入された情報は、サーバ１０１によってコンテンツ３２３としてコンテンツデータベース１２３に保持され、ネットワーク１０９を介して他のユーザに提供される。
このように本システムによれば、実際にＩＣチップＲ／Ｗ１０５−２が設置された場所に行ったユーザ１０８からの情報を得ることができるため、本システムで取得及び保持管理するコンテンツ３２３の情報内容は信頼度が高いといえる。
【００４６】
また、画面３１において、ユーザ１０８がメニュー３５を選択すると、携帯電話１０７には図８に示す画面５１が表示される。前述のように、本システムでは、実際にＩＣチップＲ／Ｗ１０５が設置された場所に行ったユーザからの情報がコンテンツ３２３として保持されている。画面５１には、例えばサービスエリア周辺のお店を実際に利用したユーザからのコメントを閲覧するためのメニューが表示される。
【００４７】
画面５１において、ユーザ１０８がメニュー５３を選択すると、ユーザ１０８は「Ａ．Ａ．さんのコメント」を見ることができる。図９は、ユーザのコメントを表示した携帯電話１０７の表示画面６１を示す図である。例えば、画面６１には「Ａ．Ａ．さんのコメント」として情報６３が表示され、ユーザ１０８は実際に店を利用したユーザの、信頼度の高い情報を得ることができる。
【００４８】
このように、本システムによれば、ＩＣチップ１０３をＩＣチップＲ／Ｗ１０５に読み出すことによって情報の送受信が行われるため、情報の内容の信頼性を向上させることができる。
【００４９】
また、ユーザ１０８が図８や図９に示されるＵＲＬ５５を選択すると、携帯電話１０７には図１０に示す画面７１が表示される。画面５５には、例えば「中日本高速道路モバイルサイト」が提供する様々な情報等が示され、ユーザ１０８がメニュー７３をクリックすると、当サイトが提供するキャンペーン等に参加することが可能である。
【００５０】
このように、本システムによれば、ユーザ１０８は安全な情報をリアルタイムに取得できるとともに、様々なサービスの提供を受けることが可能である。
また、コンテンツを提供する企業や団体も、信頼性のあるシステムにコンテンツを提供することで安心である。
【００５１】
上述の実施例では、ＩＣチップ１０３−２を搭載した携帯電話１０７とサーバ１０１との情報の送受信を述べたが、例えば、情報の送り先は携帯電話１０７でなくてもよく、ユーザ１０８が情報の送り先としてユーザ情報１２１に登録したネットワーク１０９を介して通信可能な携帯端末やその他の端末でも構わない。
【００５２】
次に、本システムの第２の実施例について説明する。
（ステップ５０１、ステップ５０２）
ユーザ１０６が、ＩＣチップ１０３−１を搭載したＩＣカード１０４を、駅や観光地等に設置されたＩＣチップＲ／Ｗ１０５−１にかざして、情報を読み出させた場合を考える。ＩＣチップＲ／Ｗ１０５−１は、ＩＣチップ１０３−１の情報を読出して、ＩＣチップ１０３−１を特定するＩＤ番号等の識別情報等をネットワーク１０９を介してサーバ１０１に送信する。
【００５３】
サーバ１０１は、ＩＣチップ１０３−１の識別情報を基に、ユーザ情報３２１を検索し、ＩＣチップ１０３−１の所有者であるユーザ１０６を特定する。
また、Ｒ／Ｗデータベース１２２のＲ／Ｗ情報３２２から、ＩＣチップＲ／Ｗ１０５−１の情報を検索し、設置場所等の情報を取得する。
【００５４】
（ステップ５０３、ステップ５０４）
サーバ１０１は、ＩＣチップＲ／Ｗ１０５−１の設置場所等の情報から、その場所に関する関連情報を示すコンテンツをコンテンツデータベース１２３から検索し、ユーザ１０６に送信するためのコンテンツを生成する。ここで、例えば、ユーザ１０６がサーバ１０１が管理するコミュニティサイトのメンバーとして登録されているとする。このような登録情報もユーザ情報３２１としてサーバ１０１によって管理される。サーバ１０１は、コミュニティサイト用のページ形式等に従ってユーザ１０６のためのコンテンツを作成し、ユーザ１０６に提供する。
【００５５】
例えば、ユーザ１０６は、サーバ１０１が管理する「旅」に関するコミュニティサイトの会員であるとする。ユーザ１０６が、ある旅行から帰って、旅行に関するブログ等の個人用情報提供ページを作成する場合を例に以下に説明する。
【００５６】
ユーザ１０６は、ユーザ１０６は例えば端末装置１３１−１からサーバ１０１にアクセスし、会員用ユーザＩＤやパスワード等を入力して「旅」に関するコミュニティサイトのホームページにアクセスする。図１１は、端末装置１３１−１に表示された画面８１を示す図である。画面８１は、「旅」に関するコミュニティサイトの会員用のメニュー画面である。
【００５７】
ユーザ１０６がメニュー８３「旅の思い出を書き込む」を選択すると、端末装置１３１−１には旅の思い出を書き込むためのページが表示される。図１２は、端末装置１３１−１に表示された画面９１を示す図である。画面９１には、ユーザ１０６が旅行中にＩＣチップ１０３−１読み出させたＩＣチップＲ／Ｗ１０５の設置場所或いはその周辺に関する写真等の情報が情報表示欄９３−１、９３−２、…に表示される。また、ユーザによる入力欄９５−１、９５−２、…が設けられ、ユーザ１０６は情報表示欄９３−１、９３−２、…に対応した情報を入力欄９５−１、９５−２、…に入力することができる。
サーバ１０１は、ユーザ１０６によって入力された情報を含めて、ユーザ１０６用のコミュニティサイトへの情報提供ページを作成し、コンテンツ３２３として保持する。
【００５８】
このように、サーバ１０１は、ユーザ１０６が旅行中にＩＣチップ１０３−１を読み出させたＩＣチップＲ／Ｗ１０５の設置場所等に関する情報をコンテンツ３２３から選択し、ユーザ１０６が記入するためのコミュニティサイト用の情報提供ページとしてユーザ１０６に提供することができる。
こうして、本システムによれば、煩雑な作業となる個人の情報提供ページの作成も容易となる。
【００５９】
また、図１１に示す画面８１において、ユーザ１０６がメニュー８５「みんなのコメントを読む」を選択すると、端末装置１３１−１にはコミュニティサイトの他の会員のページが表示される。図１２は、端末装置１３１−１に表示された他の会員ページの表示画面９７の一例を示す図である。
【００６０】
表示画面９７に示された会員の情報提供ページも、上記のようにＩＣチップ１０３をＩＣチップ１０５を読み出させて作成することが出来るため、提供される情報は、実際にその場所に行った人からの情報となり、提供される情報の信頼度は向上する。
【００６１】
以上述べた実施例では、ＩＣカード１０４やＩＣチップ搭載携帯電話１０７を例に説明したが、ＩＣチップ１０３はどのような形態で設置されていてもよく、ＩＣチップ１０３とその所有者であるユーザの情報がユーザ情報３２１としてサーバ１０１に登録されていればよい。
【００６２】
以上、添付図面を参照しながら、本発明に係る情報管理システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００６３】
【図１】本実施の形態に係る情報管理システム１の概略構成を示す図
【図２】サーバ１０１のハードウェア構成図
【図３】記憶部２０２が保持する情報を示す図
【図４】サーバ１０１の情報提供管理処理の概要を示すフローチャート
【図５】携帯電話１０７の画面２１を示す図
【図６】メニューを示す画面３１を示す図
【図７】情報入力欄４３を表示する画面４１を示す図
【図８】コメント閲覧の画面５１を示す図
【図９】コメントを表示する画面６１を示す図
【図１０】クチコミサイトのページを表示する画面３１を示す図
【図１１】コミュニティサイトの会員用メニュー画面８１を示す図
【図１２】ユーザ用の会員ページ画面９１を示す図
【図１３】他のユーザの会員ページ画面９７を示す図
【符号の説明】
【００６４】
１………データベース構築支援システム
１０１………サーバ
１０３−１、１０３−２………ＩＣチップ
１０５−１、１０５−２………ＩＣチップＲ／Ｗ（リーダ／ライタ）
１０７………携帯電話
１０９………ネットワーク
１１０………ネットワークサーバ
１１１………ユーザ管理サーバ
１１２………Ｒ／Ｗ管理サーバ
１１３………コンテンツ管理サーバ
１２１………ユーザデータベース
１２２………Ｒ／Ｗデータベース
１２３………コンテンツデータベース
２０１………制御部
２０２………記憶部
３２１………ユーザ情報
３２２………Ｒ／Ｗ情報
３２３………コンテンツ
【図１】
2007279789.tif 000003
【図２】
2007279789.tif 000004
【図３】
2007279789.tif 000005
【図４】
2007279789.tif 000006
【図５】
2007279789.tif 000007
【図６】
2007279789.tif 000008
【図７】
2007279789.tif 000009
【図８】
2007279789.tif 000010
【図９】
2007279789.tif 000011
【図１０】
2007279789.tif 000012
【図１１】
2007279789.tif 000013
【図１２】
2007279789.tif 000014
【図１３】
2007279789.tif 000015